(57)【要約】      （修正有）【課題】使用上の安全性が高く、踏む必要がない脱水桶を提供する。【解決手段】踏む必要がない脱水桶１００は、桶体１０、バスケット２０、および回転ユニットを備える。桶体１０は頂面に形成された開口部１１と、底面から突起して形成された突起座と、突起座に直立状に固定された支持軸とを有する。バスケット２０は底部に受動回転座２１を有し、受動回転座２１は支持軸に装着される。回転ユニットはバスケット２０を支持軸に対して自由回転させるため、支持軸及びバスケット２０の受動回転座２１との間に装着される。【選択図】図１
0003156220.tif 000002
【実用新案登録請求の範囲】
【請求項１】
頂面に形成された開口部、底面から突起して形成された突起座、及び、突起座に直立状に固定された支持軸を有する桶体と、
周壁および底面に複数の脱水孔を有し、かつ底部に受動回転座を有し、受動回転座は支持軸に装着されるバスケットと、
バスケットを支持軸に対して自由回転させるため、支持軸とバスケットの受動回転座との間に装着される回転ユニットと、
を備えることを特徴とする踏む必要がない脱水桶。
【請求項２】
バスケットは、分離可能なように支持軸上に装着されることを特徴とする請求項１に記載の踏む必要がない脱水桶。
【請求項３】
回転ユニットは、軸受けであることを特徴とする請求項１に記載の踏む必要がない脱水桶。
【請求項４】
受動回転座は、突起状を呈し、バスケットの内側底面の中央に突出して形成され、かつその内部に耐磨耗スリーブを有することを特徴とする請求項１に記載の踏む必要がない脱水桶。
【請求項５】
開口部は、両側の中段部に内側へ縮小して数字８の形が形成された弧状を有することを特徴とする請求項１に記載の踏む必要がない脱水桶。
【請求項６】
桶体の支持力を増加させるため、桶体は底部に突起弧面を有することを特徴とする請求項１に記載の踏む必要がない脱水桶。
【請求項７】
桶体は、両側の上方に取っ手との連結に用いる一対の耳部を有することを特徴とする請求項１に記載の踏む必要がない脱水桶。
【考案の詳細な説明】
【技術分野】
【０００１】
本考案は、踏む必要がない脱水桶に関し、詳しく言えば使用上の安全性が高く、踏む必要がない脱水桶に関するものである。
【背景技術】
【０００２】
モップは床掃除に用いる道具の一つである。従来の脱水桶はモップに付着した余分な水分を取り去るのに用いる道具である。従来の脱水桶はモップ上の毛糸を絞り、毛糸の水分を取り去る。また台湾実用新案登録第Ｍ３３８６３４号明細書に記載されている考案は桶体、装置部および駆動機構を備え、回転機構は装着ユニット、回転軸、伝動ユニットおよびレバーを有する。該案は装着ユニット、回転軸、伝動ユニットおよびレバーとの間の交互作動によって回転機構を回転させることによってモップの脱水を行なう。
【先行技術文献】
【特許文献】
【０００３】
【特許文献１】台湾実用新案登録第Ｍ３３８６３４号明細書
【考案の概要】
【考案が解決しようとする課題】
【０００４】
しかし、このような脱水桶中の回転機構を組み立てるには、部品をたくさん使用することが必要であるため、部品の消耗が原因で脱水桶の使用寿命を短縮するという欠点がある。
【０００５】
このような脱水桶は、構造が複雑であるため組立が難しいだけでなく、片方の足で踏む必要があるため使用者がバランスを崩して転んでしまうという事態を招く可能性がある。
このような脱水桶を出荷する際、内部のユニットの組立が完了しなければならないため、積み重ねて運送することはできない。体積が厖大な脱水桶を運送するには運送コストが高くなるため、消費者側または製造側にもかかわらず、不利なことである。
【０００６】
本考案の主な目的は、使用上の安全性が高く、踏む必要がない脱水桶を提供することである。
本考案のもう一つの目的は、構造を簡単化し、コストを大幅に削減することを可能にする、踏む必要がない脱水桶を提供することである。
本考案のもう一つの目的は、保管および運送の際に場所を取らず積み重ねる、運賃を節約することを可能にする、踏む必要がない脱水桶を提供することである。
【課題を解決するための手段】
【０００７】
上述の目的を達成するために、本考案による踏む必要がない脱水桶は、桶体、バスケット、および回転ユニットを備える。桶体は頂面に形成された開口部と、底面から突起して形成された突起座と、突起座に直立状に固定された支持軸とを有する。バスケットは底部に受動回転座を有し、受動回転座は支持軸に装着される。回転ユニットはバスケットを支持軸に対して自由回転させるため、支持軸及びバスケットの受動回転座との間に装着される。
【０００８】
本考案による踏む必要がない脱水桶は、主動の回転装置が配置されず、外部のモップが回転することによって脱水作業を支援することを可能にする道具である。
【０００９】
本考案による踏む必要がない脱水桶は、使用者が手で持てるためにさらに取っ手を有する。桶体の開口部は数字８の形を呈する。桶体は底部に桶体の支持力を増強するのに用いる突起弧面を有する。従って、回転ユニットが回転する際、踏む必要がない脱水桶を振動させるという現象は発生しない。
【図面の簡単な説明】
【００１０】
【図１】本考案の一実施形態による踏む必要がない脱水桶を示す立体外観図である。
【図２】本考案の一実施形態による踏む必要がない脱水桶を示す立体分解図である。
【図３】本考案の一実施形態による踏む必要がない脱水桶が分解された状態を示す側面図である。
【図４】本考案の一実施形態による踏む必要がない脱水桶が組み立てられた状態を示す側面図である。
【図４Ａ】図４中の４Ａに示す部分を示す拡大図である。
【図５】本考案の一実施形態による踏む必要がない脱水桶とモップとを分離させた状態を示す立体図である。
【図６】本考案の一実施形態による踏む必要がない脱水桶とモップとを組み合わせた状態を示す立体図である。
【図７】本考案の一実施形態による踏む必要がない脱水桶に取っ手が付加された状態を示す模式図である。
【図８】本考案の一実施形態による踏む必要がない脱水桶を積み重ねた状態を示す模式図である。
【考案を実施するための形態】
【００１１】
以下、本考案による踏む必要がない脱水桶を図面に基づいて説明する。
（一実施形態）
図１から図４に示すように、本考案による踏む必要がない脱水桶１００は、桶体１０、バスケット２０および回転ユニット３０を備える。桶体１０は頂面に形成された開口部１１と、底面１２から突起して形成された突起座１３と、突起座１３に直立状に固定された支持軸１４とを有する。バスケット２０は周囲および底面に複数の脱水孔２２を有する。
【００１２】
突起座１３の高さは桶体の深度および需要に応じて調整することが可能である。特に突起座１３の高さが桶体に注入された所要水量の水平面に一致するかあるいはそれより高いほうが好ましい。支持軸１４は突起座１３上に形成されることが可能である。図３に示すように、突起座１３は頂面１３１に平面を有する。本実施形態において、支持軸１４は中段部に環状突起面１４１を有し、環状突起面１４１によって突起座１３の頂面１３１に固定され、かつその上段部を頂面１３１に突出させる。かつ支持軸１４は一体成形によって突起座１３に固定されることが可能である。
【００１３】
バスケット２０は、支持軸１４に装着される。回転ユニット３０は軸受けであり、バスケット２０を支持軸１４に対して自由回転させるため、支持軸１４及びバスケット２０の底部との間に装着され、かつバスケット２０の底部の受動回転座２１に嵌合される。受動回転座２１は軸受け座にすることが可能である。本実施形態において、受動回転座２１は、突起状を呈し、バスケット２０の内側底面の中央に突起して形成される。
【００１４】
本実施形態において、回転ユニット３０は支持軸１４の環状突起面１４１に嵌合され、そののちバスケット２０は受動回転座２１によって分離可能なように支持軸１４に突起している上段部に装着されるが、この装着方法には限らない。例えば、本実施形態は回転ユニット３０を受動回転座２１内に装着し、そののちそれらを支持軸１４に装着することも可能である。
【００１５】
図４Ａに示すように、組み立てる際、予め受動回転座２１の内側および支持軸１４の接触面との間に耐磨耗スリーブ２１１を嵌めることが可能であるため、回転軸２１が支持軸１２上を回転して磨耗することが原因で使用寿命を短縮するという現象を防止することが可能となる。
【００１６】
図５および図６は、本考案がモップ２００に適用された状態を示す模式図である。モップ２００は、外筒体２０１、内筒体２０２、内筒体２０２の底部に装着されるヘッド部２０３および毛糸２０４を備える。毛糸２０４の水分を取り去る場合、ヘッド部２０３および毛糸２０４をバスケット２０中に置いて外筒体２０１を介して内筒体２０２を回転させることによってヘッド部２０３および毛糸２０４を連動させる。このとき自由状態を呈するバスケット２０は駆動され、底部に位置する回転ユニット３０をスムーズに回転させるため、遠心力によって毛糸２０４の水分を脱水孔２２から放射することが可能である。
【００１７】
図６に示すように、本考案における開口部１１は、両側の中段部に内側へ縮小して数字８の形が形成された弧状１７を有する。モップ２００を脱水し、遠心力によって毛糸２０４の水滴を切線方向に沿って放射する際、水滴の進行方向は開口部１１の中段部の内側の弧状１７に衝突するため、水滴は桶体１０の内側壁に沿って落下する。このような弧状１７の設計は水滴を外部に飛ばし、使用者または地面を濡らすという現象を防止することが可能である。
【００１８】
図７に示すように、本考案による踏む必要がない脱水桶１００は、使用の便を図るため、桶体１０の両側の上方に取っ手１６との連結に用いる一対の耳部１５を配置することが可能である。かつ桶体１０の支持力を増加させるため、桶体１０の底部に突起弧面１２１を配置することが可能である。従って、回転ユニット３０が回転する際、踏む必要がない脱水桶１００を振動させるという現象は発生しない。
【００１９】
本考案による踏む必要がない脱水桶は足で踏むことによってモップを絞る必要がないため、長期にわたって使用する使用者にとって、脱水桶を使用する際の危険性を確実に低減させることが可能である。
【００２０】
本考案による踏む必要がない脱水桶は、回転ユニット３０によってバスケット２０を自由回転させ、かつ構造の設計が簡単化されるため、長期にわたって使用されるとしても損耗を生じないことが可能である。かつ運送の際に完成品の状態で運送する必要がないため、図８に示すように出荷の際に積み重ね方式で搬送し、使用の際に使用者が自ら組み立てることが可能である。使用者にとって財布の負担を減少させ、製造業者にとってコストの削減を実現させることが可能となる。従って、本考案は使用者および製造者の得になると考えられる。
【符号の説明】
【００２１】
１０：桶体、  １００：踏む必要がない脱水桶、  １１：開口部、  １２：底面、  １３：突起座、  １３１：頂面、  １４：支持軸、  １４１：環状突起面、  １５：耳部、  １６：取っ手、  １７：弧形、  ２０：バスケット、  ２００：モップ、  ２０１：外筒体、  ２０２：内筒体、  ２０３：ヘッド部、  ２０４：毛糸、  ２１：受動回転座、  ２１１：耐磨耗スリーブ、  ２２：脱水孔、  ３０：回転ユニット。
【図１】
0003156220.tif 000003
【図２】
0003156220.tif 000004
【図３】
0003156220.tif 000005
【図４】
0003156220.tif 000006
【図４Ａ】
0003156220.tif 000007
【図５】
0003156220.tif 000008
【図６】
0003156220.tif 000009
【図７】
0003156220.tif 000010
【図８】
0003156220.tif 000011